(57)【特許請求の範囲】
【請求項１】
正面に時刻表示部を備えた時計本体と、前記正面から見て前記時刻表示部の周囲を囲む環状の装飾体とを備えた時計において、
前記時計本体には、前記装飾体を支持する支持部材を設け、
前記支持部材は、前記時計本体の側面を包囲する筒状の第１部位と、前記時計本体の正面縁部を覆う第２部位と、前記第１部位から前記時計本体の外側に向って突出した第３部位とを備え、
前記装飾体は、これを前記第３部位に支持し、
前記時計本体には雄ねじ部品を挿通する通孔を設けるとともに、前記第２部位の裏面には前記雄ねじ部品を螺合する雌ねじ部を設け、前記支持部材は前記雄ねじ部品にて前記時計本体にねじ止めして設けたことを特徴とする時計。
【発明の詳細な説明】
【技術分野】
【０００１】
本発明は、装飾性に優れた時計に関し、正面から見て時刻表示部の周囲を囲む装飾体を備えたものである。
【背景技術】
【０００２】
一般に、室内に設置する壁掛け時計等は、インテリアとしての効用も重要である。例えば、特許文献１には、時刻表示部の周囲を囲む環状の装飾体を設けることにより、その装飾性を向上してなる優れた時計が開示されている。
【特許文献１】特開２００６−３３７０８１号公報
【発明の開示】
【発明が解決しようとする課題】
【０００３】
さて近年、時計のデザインはますます多様化される傾向にあり、時計の設計においては、各種デザインに対応すべく、構成部材の汎用性の向上も重要とされている。すなわち、前述した環状の装飾体を設ける場合、装飾体を固定する部位を時計本体に一体に設けると、時計本体の汎用性が制限されてしまうという不都合が生じる。つまるところ、時計本体に装飾体を支持する支持部材を設け、その支持部材に装飾体を固定する構成が望ましいと考えられる。本発明は、かかる事情に鑑みてなされたものであり、その目的は、環状の装飾体を合理的に装着してなる時計を得ることである。
【課題を解決するための手段】
【０００４】
本願第１請求項に記載した発明は、正面に時刻表示部を備えた時計本体と、前記正面から見て前記時刻表示部の周囲を囲む環状の装飾体とを備えた時計において、前記時計本体には、前記装飾体を支持する支持部材を設け、前記支持部材は、前記時計本体の側面を包囲する筒状の第１部位と、前記時計本体の正面縁部を覆う第２部位と、前記第１部位から前記時計本体の外側に向って突出した第３部位とを備え、前記装飾体は、これを前記第３部位に支持し、前記時計本体には雄ねじ部品を挿通する通孔を設けるとともに、前記第２部位の裏面には前記雄ねじ部品を螺合する雌ねじ部を設け、前記支持部材は前記雄ねじ部品にて前記時計本体にねじ止めして設けた構成の時計である。
【発明の効果】
【０００５】
本発明によれば、環状の装飾体を合理的に装着してなる時計を得ることができる。
【発明を実施するための最良の形態】
【０００６】
以下に、本発明の実施例を図面に基づいて説明する。図１乃至図４に示す本例の時計１は、正面に時刻表示部１１０を備えた時計本体１００と、その正面から見て時刻表示部１１０の周囲を囲む環状の装飾体２００とを備えたアナログ式の壁掛け時計である。また、時計本体１００には、装飾体２００を支持する支持部材３００を設け、装飾体２００は、支持部材３００に支持されている。
【０００７】
時計本体１００は、筐体１２０の内部に文字板１１１、指針１１２、及び指針１１２を駆動する指針駆動機構（図示はせず）を設けてなるものである。指針１１２は文字板１１１に対して配置されており、指針駆動機構は文字板１１１の背部に設けられている。文字板１１１及び指針１１２は、筐体１２０の正面に装着された透明板１２１を介して目視され、これが時刻表示部１１０となっている。
【０００８】
本例の装飾体２００は、集成材を加工してなる木製品であり、デザインとしては、船の舵輪を模したものとなっている。
【０００９】
支持部材３００は、時計本体１００の側面を包囲する筒状の第１部位３１０と、時計本体１００の正面縁部を覆う第２部位３２０と、第１部位３１０から時計本体１００の外側に向って突出した第３部位３３０とを一体に備えた樹脂製の射出成形部材である。第２部位３２０は、第１部位３１０の正面側の端部から時刻表示部１１０の中央に向って突出した部位となっている。第３部位３３０は、第１部位３１０の背面側の端部から突出したフランジ状の部位となっている。
【００１０】
支持部材３００は、時計本体１００の筐体１２０にねじ止めにより支持されている。筐体１２０には適宜間隔で雄ねじ部品（図示はせず）を挿通する通孔１２２が設けられており、支持部材３００の第２部位３２０の裏面には、通孔１２２に挿通した雄ねじ部品を螺合する円筒ボス状の雌ねじ部３２１が設けられている。
【００１１】
装飾体２００は、その内周面が第１部位３１０の外周面と対抗するように時計本体１００及び支持部材３００の前方側から組付けられ、支持部材３００の第３部位３３０にねじ止めにより支持されている。第３部位３３０には、ビス（図示はせず）を挿通する通孔３３１が適宜間隔で設けられており、装飾体２００は、通孔３３１に挿通したビスを装飾体２００の裏面に螺入することにより支持されている。支持部材３００の形状は、時計本体１００及び装飾体２００の安定した支持構造を確保すべく工夫されたものである。
【００１２】
このような構成によると、環状の装飾体２００を合理的に装着することができる。例えば図５及び６に示すように、時計本体１００は、支持部材３００に対して規格化したものであれば、文字板１１１のデザインや筐体１２０の前後寸法等が異なるものであっても、それを組付けることが可能である。また、例えば図７及び８に示すように、装飾体２００は、支持部材３００に対して規格化したものであれば、デザインや材質等が異なるものであっても、それを組付けることが可能である。つまり、複数種の時計本体１００及び複数種の装飾体２００を用意し、それらを共通の支持部材３００を介してそれぞれ組合せることによれば、様々な組合わせパターンが得られるので、時計のデザインを多様化することができる。
【００１３】
特に、時計本体１００については、環状の装飾体２００を装着せずに、別途、所定の装飾用筐体に収納する場合も考えられる。このとき、装飾体２００を支持する部位、すなわち支持体３００の第３部位３３０のような部位が筐体１２０に一体成形されていると、それが無用の部位として邪魔になるという不都合が生じる。この点、本例によれば、そのような不都合を回避することができ、時計本体１００の汎用性が向上するという利点もある。
【００１４】
以上説明したように、本例の時計は、環状の装飾体を合理的に装着してなるものであり、デザイン性に優れた壁掛け時計として好適に利用することができる。尚、本例における各部の構成は、特許請求の範囲に記載した技術的範囲において適宜に設計変更が可能であり、図例説明したものに限定されないことは勿論である。
【産業上の利用可能性】
【００１５】
本発明の時計は、壁掛け時計として好適に利用することが可能である。
【図面の簡単な説明】
【００１６】
【図１】本発明の実施例に係り、時計を示す正面図である。
【図２】本発明の実施例に係り、時計を示す側面断面図であり、図１のＸ−Ｘ断面図である。
【図３】本発明の実施例に係り、時計を示す側面分解断面図である。
【図４】本発明の実施例に係り、支持部材の説明図であり、（ａ）は支持部材の正面図、（ｂ）は側面断面図、（ｃ）は背面図である。
【図５】本発明の実施例に係り、時計（異なる時計本体を組付けたもの）を示す正面図である。
【図６】本発明の実施例に係り、時計（異なる時計本体を組付けたもの）を示す側面断面図であり、図５のＸ−Ｘ断面図である。
【図７】本発明の実施例に係り、時計（異なる装飾体を組付けたもの）を示す正面図である。
【図８】本発明の実施例に係り、時計（異なる装飾体を組付けたもの）を示す側面断面図であり、図７のＸ−Ｘ断面図である。
【符号の説明】
【００１７】
１    時計
１００    時計本体
１１０    時刻表示部
１１１    文字板
１１２    指針
１２０    筐体
１２１    透明板
１２２    通孔
２００    装飾体
３００    支持部材
３１０    第１部位
３２０    第２部位
３２１    雌ねじ部
３３０    第３部位
３３１    通孔
【図１】
0004993366.tif 000002
【図２】
0004993366.tif 000003
【図３】
0004993366.tif 000004
【図４】
0004993366.tif 000005
【図５】
0004993366.tif 000006
【図６】
0004993366.tif 000007
【図７】
0004993366.tif 000008
【図８】
0004993366.tif 000009